(57)【要約】【課題】長期間快適に使用することが可能なマスクフィルターを提供する。【解決手段】衛生マスクの内側に配置されるマスクフィルター１０であって、表布１１と、裏布１２と、表布１１と裏布１２との間に挟みこまれた不織布１３とを備え、表布１１、裏布１２および不織布１３は、いずれもシルク素材からなることを特徴とする。【選択図】図１
0003227183.tif 000002
【実用新案登録請求の範囲】
【請求項１】
衛生マスクの内側に配置されるマスクフィルターであって、
表布と、
裏布と、
前記表布と前記裏布との間に挟みこまれた不織布と、を備え、
前記表布、前記裏布および前記不織布は、いずれもシルク素材からなることを特徴とするマスクフィルター。
【請求項２】
前記不織布は、草木染め用天然染料を付着させたものであることを特徴とする請求項１に記載のマスクフィルター。
【請求項３】
前記表布と前記裏布とは、シルク素材の縫製糸で互いに縫い付けられていることを特徴とする請求項１または２に記載のマスクフィルター。
【請求項４】
前記表布、前記裏布および前記不織布は、前記縫製糸によりキルティング加工されたものであることを特徴とする請求項３に記載のマスクフィルター。
【請求項５】
マスク本体および一対の耳掛け部を有する衛生マスクであって、
前記マスク本体は、
表布と、
裏布と、
前記表布と前記裏布との間に挟みこまれたシルク不織布と、
を備えることを特徴とする衛生マスク。
【請求項６】
前記シルク不織布は、草木染め用天然染料を付着させたものであることを特徴とする請求項５に記載の衛生マスク。
【考案の詳細な説明】
【技術分野】
【０００１】
本考案は、マスクフィルターおよび衛生マスクに関する。
【背景技術】
【０００２】
従来のマスクフィルターとして、例えば、特許文献１に記載のものが知られている。このマスクフィルターは、使用者の鼻の形状に沿って変形する長尺状の芯材を有しており、衛生マスクの内側に配置して使用される。このマスクフィルターは、簡単に衛生マスクから取り外すことができるので、マスクフィルターだけを交換し、衛生マスクを繰り返し使用することが可能になる。
【０００３】
一方で、上記のような使い捨てのマスクフィルターは、長期間（複数回）の使用には適していないという問題がある。
【先行技術文献】
【特許文献】
【０００４】
【特許文献１】実用新案登録第３２１３７６７号公報
【考案の概要】
【考案が解決しようとする課題】
【０００５】
本考案は上記事情に鑑みてなされたものであって、その課題とするところは、長期間快適に使用することが可能なマスクフィルターおよび衛生マスクを提供することにある。
【課題を解決するための手段】
【０００６】
上記課題を解決するために、本考案に係るマスクフィルターは、
衛生マスクの内側に配置されるマスクフィルターであって、
表布と、
裏布と、
前記表布と前記裏布との間に挟みこまれた不織布と、を備え、
前記表布、前記裏布および前記不織布は、いずれもシルク素材からなることを特徴とする。
【０００７】
上記マスクフィルターにおいて、
前記不織布は、草木染め用天然染料を付着させたものであることが好ましい。
【０００８】
上記マスクフィルターにおいて、
前記表布と前記裏布とは、シルク素材の縫製糸で互いに縫い付けられていてもよい。
【０００９】
上記マスクフィルターにおいて、
前記表布、前記裏布および前記不織布は、前記縫製糸によりキルティング加工されたものであってもよい。
【００１０】
上記課題を解決するために、本考案に係る衛生マスクは、
マスク本体および一対の耳掛け部を有する衛生マスクであって、
前記マスク本体は、
表布と、
裏布と、
前記表布と前記裏布との間に挟みこまれたシルク不織布と、
を備えることを特徴とする。
【００１１】
上記衛生マスクにおいて、
前記シルク不織布は、草木染め用天然染料を付着させたものであることが好ましい。
【考案の効果】
【００１２】
本考案によれば、長期間快適に使用することが可能なマスクフィルターおよび衛生マスクを提供することができる。
【図面の簡単な説明】
【００１３】
【図１】本考案に係るマスクフィルターを示す図であって、（Ａ）は正面図、（Ｂ）は（Ａ）のＢＢ’線における断面図である。
【図２】本考案に係るマスクフィルターと衛生マスクとの関係を示す背面図である。
【図３】本考案に係る衛生マスクを示す図であって、（Ａ）は正面図、（Ｂ）は（Ａ）のＢＢ’線における断面図である。
【図４】（Ａ）は第１変形例に係るマスクフィルターを示す図、（Ｂ）は第２変形例に係るマスクフィルターを示す図である。
【考案を実施するための形態】
【００１４】
以下、添付図面を参照して、本考案に係るマスクフィルターおよび衛生マスクの実施形態について説明する。
【００１５】
［マスクフィルター］
図１に本考案の一実施形態に係るマスクフィルター１０を示す。本実施形態に係るマスクフィルター１０は、表布１１と、裏布１２と、両者の間に挟みこまれたシルク不織布１３と、を備える。
【００１６】
表布１１、裏布１２およびシルク不織布１３は、いずれもシルク素材（シルク繊維）からなる。本実施形態では、表布１１、裏布１２およびシルク不織布１３は、いずれもシルク１００％で構成される。表布１１と裏布１２とを縫い付ける縫製糸１４も、シルク素材（シルク繊維）からなる。なお、図１（Ｂ）および図２では、縫製糸１４を省略している。
【００１７】
表布１１および裏布１２は、本実施形態では、それぞれ別の布で構成しているが、１つの布を折り曲げることで表布１１と裏布１２とを構成してもよい。
【００１８】
シルク不織布１３は、草木染めによって、草木染め用天然染料を付着させたものであることが好ましい。草木染め用天然染料は、自然の植物などから色素成分を抽出した液体色素を含み、草木染めに用いられる液体染料である。草木染め用天然染料は、薬草、果実、天然エキスの少なくとも１つを含む。例えば、草木染め用天然染料には、ウコン、エンジュ、お茶、ログウッド、カテキュー、蘇芳、ゲレップ、西洋茜、ミロバラン、よもぎ、楊梅、ラックダイ、ザクロ、丹殻、黄蘗、ビンロウジ、紫根、黒檀、五倍子、桜、梔子、柿渋、インド茜、藍、ハッカ、キシリトール、しそ、梅、りんご、グレープなどが含まれる。
【００１９】
シルク不織布１３に草木染め用天然染料を付着させることで、使用者にとって心地よい香りや薬用効果を醸し出すだけでなく、抗菌作用や消臭・防臭作用も発揮させることができる。また、草木染めを行った後に、抗菌剤および／または抗ウイルス加工剤を、バインダーを用いてシルク不織布１３に付着させてもよい。
【００２０】
図２に示すように、マスクフィルター１０は、マスク本体２１および一対の耳掛け部２２を有する衛生マスク２０の内側に配置して使用される。衛生マスク２０側に表布１１が位置し、使用者側に裏布１２が位置し、シルク不織布１３が使用者の口と鼻を覆うように配置されることが好ましい。
【００２１】
マスクフィルター１０は、表布１１、裏布１２、シルク不織布１３および縫製糸１４がいずれもシルク素材からなるため、使用者にとって肌触りが柔らかく、長期間快適に使用することができる。また、マスクフィルター１０は、洗濯することで複数回の使用が可能である。
【００２２】
［衛生マスク］
図３（Ａ）および（Ｂ）に本考案の一実施形態に係る衛生マスク３０を示す。本実施形態に係る衛生マスク３０は、マスク本体３１および一対の耳掛け部３２を有する。マスク本体３１は、表布３１ａ、裏布３１ｂ、表布３１ａと裏布３１ｂとの間に挟みこまれたシルク不織布３１ｃを備える。
【００２３】
一対の耳掛け部３２、表布３１ａおよび裏布３１ｂは、いずれもシルク素材（シルク繊維）からなることが好ましいが、シルク素材以外の素材で構成してもよい。一対の耳掛け部３２は、表布３１ａおよび／または裏布３１ｂに一体的に構成されていてもよい。なお、図３（Ｂ）では、一対の耳掛け部３２を省略している。
【００２４】
シルク不織布３１ｃは、マスクフィルター１０のシルク不織布１３と同じものである。すなわち、シルク不織布３１ｃは、シルク素材（シルク繊維）からなる不織布であって、草木染めによって、草木染め用天然染料を付着させたものであることが好ましい。したがって、本実施形態に係る衛生マスク３０は、マスクフィルター１０と同様に、使用者にとって心地よい香りや薬用効果を醸し出すだけでなく、抗菌作用や消臭・防臭作用も発揮させることができ、長期間快適に使用することができる。
【００２５】
以上、本考案に係るマスクフィルターおよび衛生マスクの好ましい実施形態について説明したが、本考案は上記実施形態に限定されるものではない。
【００２６】
図４（Ａ）に、第１変形例に係るマスクフィルター１０’を示す。マスクフィルター１０’は、表布１１、裏布１２およびシルク不織布１３を、シルク素材（シルク繊維）からなる縫製糸１４によりキルティング加工（刺し縫い加工）したものである。キルティング加工することで、マスクフィルター１０’の耐久性を強化することができる。
【００２７】
図４（Ｂ）に、第２変形例に係るマスクフィルター１０’’を示す。同図に示すように、少なくとも表布１１および裏布１２の形状は、衛生マスクの形状などに応じて適宜変更できる。
【００２８】
本考案に係るマスクフィルターは、衛生マスクの内側に配置されるマスクフィルターであって、表布と、裏布と、表布と裏布との間に挟みこまれた不織布とを備え、表布、裏布および不織布がいずれもシルク素材からなるのであれば、適宜構成を変更できる。
【００２９】
例えば、表布は裏布よりも目が詰まっていてもよい。目の詰まった布を使用することで、使用者の飛沫をより効果的に遮ることができる。
【００３０】
衛生マスクが内側に袋状の収容部を備える場合、マスクフィルターを収容部に収容することで、マスクフィルターを衛生マスクの内側に配置してもよい。
【００３１】
本考案に係る衛生マスクは、マスク本体および一対の耳掛け部を有する衛生マスクであって、マスク本体は、表布と、裏布と、表布と裏布との間に挟みこまれたシルク不織布とを備えるのであれば、適宜構成を変更できる。
【符号の説明】
【００３２】
１０    マスクフィルター
１１    表布
１２    裏布
１３    シルク不織布
１４    縫製糸
２０    衛生マスク
２１    マスク本体
２２    耳掛け部
３０    衛生マスク
３１    マスク本体
３１ａ    表布
３１ｂ    裏布
３１ｃ    シルク不織布
３２    耳掛け部
【図１】
0003227183.tif 000003
【図２】
0003227183.tif 000004
【図３】
0003227183.tif 000005
【図４】
0003227183.tif 000006